(57)【要約】【課題】容易に結線状態を確認することができる音響機器、および音響システムを提供する。【解決手段】音響機器１にＩＣタグ１１を設ける。また、オーディオ信号に機器ＩＤを重畳する重畳部１４を設ける。ミキサ２は、ＩＣタグ１１の機器ＩＤを読み取るＩＣタグリーダ２１を備えており、機器ＩＤと機器属性情報を関連づけて記憶しておく機器ＩＤ／属性テーブル２５を備えている。制御部２８は、音響機器から入力されたオーディオ信号に重畳されている機器ＩＤで機器ＩＤ／属性テーブル２５を参照し、関連づけられている機器属性情報を読み出す。機器属性情報には、音響機器の識別情報等が含まれており、識別情報（機器名称等）が表示部２９に表示される。【選択図】図１
2010032755.tif 000002
【特許請求の範囲】
【請求項１】
情報読み取り装置に、機器固有情報を提供する情報提供部と、
オーディオ信号に前記機器固有情報に相当する情報を重畳する重畳部と、
前記機器固有情報が重畳されたオーディオ信号を出力する出力部と、
を備えた音響機器。
【請求項２】
音響機器、および音響機器が接続される情報読取り装置からなる音響システムであって、
前記情報読取り装置は、
機器固有情報を読み取りする情報読取り部と、
前記情報読取り部で読み取った機器固有情報に、音響機器の属性情報を関連づけて記憶する記憶部と、
前記音響機器からオーディオ信号を入力する入力部と、
前記入力部から入力されるオーディオ信号に重畳されている機器固有情報に相当する情報を復号する復号部と、
前記復号部で復号した情報で前記記憶部を参照し、前記機器固有情報に関連づけられている属性情報を読み出す制御部と、
を備えた音響システム。
【請求項３】
前記属性情報を取得する属性情報取得部を備え、
前記取得部は、前記記憶部に記憶されている属性情報を変更する請求項２に記載の音響システム。
【請求項４】
オーディオ信号の調整を行うオーディオ信号処理部をさらに備え、
前記属性情報は、オーディオ信号処理部の処理内容を示す情報を含み、
前記オーディオ信号処理部は、前記属性情報に基づいて前記入力部から入力されるオーディオ信号の調整を行う請求項２、または請求項３に記載の音響システム。
【請求項５】
前記属性情報は、外部機器を制御する制御情報を含み、
前記制御部は、前記属性情報に基づいて外部機器を制御する制御信号を出力する請求項２、請求項３、または請求項４のいずれかに記載の音響システム。
【発明の詳細な説明】
【技術分野】
【０００１】
この発明は、機器固有情報を出力する音響機器および音響システムに関する。
【背景技術】
【０００２】
従来、ＰＡシステムでは、マイク等のアナログ音響機器をミキサに取り付ける場合、結線の確認のため、ミキサやオーディオケーブルに識別用のラベルを貼り付けておくことが多い。
【０００３】
また、デジタル音響機器の場合、各音響機器の結線状態（ラベル名）を入力することができるアプリケーションも存在し、画面上で結線を確認することができる。
【０００４】
また、ＲＦＩＤを用いてネットワーク接続状況を確認する方式も提案されている（例えば特許文献１参照）。
【特許文献１】特開２００３−１４３１４７号公報
【発明の開示】
【発明が解決しようとする課題】
【０００５】
しかし、ミキサやケーブルに識別用のラベルを貼り付ける作業は非常に煩雑であった。また、デジタル音響機器の場合であっても、結線状態を入力する必要があり、作業者が事前に結線状態を目視で確認する必要もあり、やはり煩雑なものであった。さらに、ラベルを貼り間違えたり、入力を間違えたりした場合、どの機器同士を間違えたのか、即座に判断することもできなかった。
【０００６】
また、特許文献１の方式の場合においては、コネクタ毎にＩＣタグリーダを取り付ける必要があり、製造コストがかかるという問題があった。また、特許文献１の方式は、電子機器同士のネットワーク接続状況を確認するものであり、音響機器の結線確認に用いることができるものではなかった。
【０００７】
そこで、この発明は、容易に結線状態を確認することができる音響機器、および音響システムを提供することを目的とする。
【課題を解決するための手段】
【０００８】
この発明の音響機器は、機器毎のＩＤ（固有の情報）である機器固有情報をＩＣタグ等からなる情報提供部に埋め込んであり、ＩＣタグリーダ等の情報読取り装置に読取り可能なように構成されている。また、音響機器は、オーディオ信号に機器固有情報に相当する情報を重畳する重畳部を備えており、出力部からオーディオ信号を出力する。
【０００９】
また、この発明の音響システムは、音響機器、および音響機器が接続される情報読取り装置からなる。情報読取り装置は、ＩＣタグリーダ等の情報読取り部と、読み取った機器固有情報に、音響機器の属性情報を関連づけて記憶する記憶部と、を備えている。音響機器の属性情報とは、例えばメーカ名や機器名称等である。情報読取り装置は、音響機器からオーディオ信号を入力し、オーディオ信号に重畳されている機器固有情報に相当する情報を復号する復号部を備えている。そして、制御部は、復号した情報で前記記憶部を参照し、前記機器固有情報に関連づけられている属性情報を読み出す。読み出した属性情報は、例えばＬＣＤ等の表示部に表示することができる。
【００１０】
また、この発明の音響システムは、属性情報を取得する取得部を備え、前記記憶部に記憶されている属性情報を変更するように構成することも可能である。この場合、メーカ名や機器名称等を、現場で用いる名称（ボーカル用マイク、コーラス用マイク等）に変更することができ、さらに容易に結線状態を確認することができる。
【００１１】
また、オーディオ信号の調整を行うオーディオ信号処理部をさらに備え、前記属性情報は、オーディオ信号処理部の処理内容を示す情報を含み、前記オーディオ信号処理部は、前記属性情報に基づいて前記入力部から入力されるオーディオ信号の調整を行うように構成することも可能である。
【００１２】
また、前記属性情報は、外部機器を制御する制御情報を含み、前記制御部は、前記属性情報に基づいて外部機器を制御する制御信号を出力することも可能である。
【００１３】
このように、結線状態の確認のみならず、それぞれ接続された音響機器に適した処理を自動で行うこともできる。
【発明の効果】
【００１４】
この発明によれば、情報読み取り装置に機器固有情報を提供するとともに、１本のオーディオ信号ラインで機器固有情報に相当する情報を出力することができる。したがって、情報読取り装置で機器固有情報を読み取るとともに、別途、オーディオ信号から機器固有情報に相当する情報を復号することで、接続されている機器を確認することができ、容易に結線状態を確認することができる。
【発明を実施するための最良の形態】
【００１５】
図１は、本発明の実施形態に係る音響システムの構成を示すブロック図である。図１では、音響機器として、自らオーディオ信号を生成するもの（例えばマイクやギター、キーボード等）を例にとり、情報読取り装置として、多数の音響機器が接続されるもの（例えばミキサ）を例にとり説明する。なお、同図においては、説明を容易にするために１つの音響機器をミキサに接続する例を示しているが、実際には、さらに複数の音響機器をミキサに接続して利用するものである。
【００１６】
本実施形態に係る音響システムは、各音響機器に取り付けられたＩＣタグから事前に機器ＩＤを読み取っておき、実際の使用時には、各音響機器を接続するだけで、結線状態の確認を行うことができるものである。
【００１７】
図１において、音響機器１は、ＩＣタグ１１、記憶部１２、オーディオ信号発生部１３、重畳部１４、および出力Ｉ／Ｆ（出力部）１５を備えている。ミキサ２は、ＩＣタグリーダ（情報読取り部）２１、ユーザＩ／Ｆ２２、ネットワークＩ／Ｆ２３、属性情報取得部２４、機器ＩＤ／属性テーブル２５、オーディオ信号入力部２６、復号部２７、制御部２８、表示部２９、およびオーディオ信号処理部３０を備えている。
【００１８】
ＩＣタグ１１は、音響機器の機器固有情報である機器ＩＤ１１１をＩＣタグリーダ２１に提供する。ＩＣタグリーダ２１は、ミキサ２に備え付けられたものを一例として示しているが、携帯型の読取り端末等で実現することも可能である。また、本発明としての情報提供部と情報読取り部は、ＩＣタグとＩＣタグリーダに限るものではなく、バーコード等、その他の方式を用いることも可能である。
【００１９】
記憶部１２は、機器ＩＤ１２１を記憶しており、重畳部１４に読取り可能となっている。なお、記憶部１２に記憶されている機器ＩＤ１２１は、機器固有情報に相当する情報であるが、必ずしも機器ＩＤ１１１と全く同一のものである必要はなく、互いに対応づけされていればよい。
【００２０】
ＩＣタグリーダ２１は、読み出した機器ＩＤ１１１を制御部２８に供給する。制御部２８は、機器ＩＤ１１１を機器ＩＤ／属性テーブル２５に登録する。ここで、制御部２８は、属性情報取得部２４から音響機器の属性情報（機器属性情報）を取得し、機器ＩＤ１１１と関連づけて機器ＩＤ／属性テーブル２５に登録する。機器属性情報には、音響機器のメーカ名や機器名称、オーディオ信号の調整内容、外部機器を制御する内容等が含まれている。詳細は図２を用いて後述する。
【００２１】
機器属性情報の取得手法は、ユーザＩ／Ｆ２２による手動取得、ネットワークＩ／Ｆ２３による自動取得がある。ユーザＩ／Ｆ２２による手動取得を行う場合、ユーザ（作業者）が識別情報等を直接手入力する。
【００２２】
ネットワークＩ／Ｆ２３による自動入力を行う場合、制御部２８が属性情報取得部２４に機器ＩＤ１１１を供給し、属性情報取得部２４が、ネットワークを介して属性情報管理ＤＢ３から機器属性情報を取得する。属性情報管理ＤＢ３には、音響機器の機器ＩＤ毎に機器属性情報を対応付けて記憶してデータベース化しており、属性情報取得部２４から送信された機器ＩＤを参照して、対応する機器属性情報を返信する。
【００２３】
以上のようにして、ミキサ２は、音響機器の機器ＩＤを登録しておく。登録作業は、実際の使用時よりも前に（事前準備の段階で）、ユーザが行う。実際にユーザが各音響機器を接続して使用する場合、音響システムは、以下のような処理、動作を行う。
【００２４】
オーディオ信号発生部１３は、オーディオ信号を発生し、重畳部１４に供給する。音響機器がマイクである場合には、オーディオ信号発生部１３は、外部の音声を集音し、オーディオ信号を発生する。音響機器が電子楽器である場合には、楽音を自ら生成する。なお、本発明のオーディオ信号は、アナログ信号に限るものではなく、デジタル信号であってもよい。
【００２５】
重畳部１４は、記憶部１２から機器ＩＤ１２１を読み出し、オーディオ信号に重畳する。なお、重畳部１４は、常に機器ＩＤ１２１をオーディオ信号に重畳するようにしてもよいし、音響機器１がミキサ２に接続された後、所定時間（例えば数秒程度）の間だけ、機器ＩＤ１２１を重畳するようにしてもよい。所定時間の間だけ重畳する場合、ライブ演奏中等の実際の楽音を発生する時に、重畳された信号が出力されることがないため、聴取者が聴感上の違和感を生じることがない。
【００２６】
出力Ｉ／Ｆ１５は、機器ＩＤ１２１が重畳されたオーディオ信号を出力する。出力Ｉ／Ｆ１５には、オーディオケーブルを経由してミキサ２が接続されている。ミキサ２のオーディオ信号入力部２６には、出力Ｉ／Ｆ１５からオーディオ信号が入力される。
【００２７】
オーディオ信号入力部２６は、入力されたオーディオ信号を復号部２７およびオーディオ信号処理部３０に供給する。オーディオ信号処理部３０に供給された音声信号は、イコライジング等の音響調整がされ、外部に出力される。音響調整の内容は、制御部２８により設定される。
【００２８】
復号部２７は、オーディオ信号に重畳されている機器ＩＤ１２１を復号する。復号した機器ＩＤ１２１は、制御部２８に供給される。なお、制御部２８には、音響機器の接続されているチャンネルを示す情報も供給され、後述の機器属性情報に応じた処理に用いられる。
【００２９】
制御部２８は、復号部２７から入力された機器ＩＤ１２１で機器ＩＤ／属性テーブル２５を参照し、機器ＩＤ１１１に関連づけられている機器属性情報を読み出す。なお、機器ＩＤ１１１と機器ＩＤ１２１が全く同じものである場合、そのまま機器ＩＤ１２１で機器ＩＤ／属性テーブル２５を参照すればよいが、これらが対応付けられた別の情報である場合、機器ＩＤ１１１と機器ＩＤ１２１のマッチングを行う。例えば、機器ＩＤ１１１と機器ＩＤ１２１の対応関係を事前にテーブルに記載しておき、制御部２８が対応関係を読み出して機器属性情報を読み出せばよい。
【００３０】
図２（Ａ）は、機器ＩＤ／属性テーブル２５の記載内容を示した図である。同図（Ａ）に示す表の左欄には、機器ＩＤ（機器ＩＤ１１１）が複数記載されており、右欄に示すような機器属性情報が対応付けられている。機器属性情報には、音響機器のメーカ名や機器名称等を示す識別情報、オーディオ信号の調整内容を示す処理情報、外部機器を制御する内容を示す機器制御情報等が含まれている。例えば、機器ＩＤがＭ０００１２である音響機器には、識別情報として「ヤマハ  指向性マイク」が関連づけられている。また、処理情報として「中音強調」が対応付けられ、機器制御情報として「照明オン」が対応付けられている。
【００３１】
制御部２８は、読み出した機器属性情報に応じて種々の処理を行う。例えば、識別情報を表示部２９に表示する。表示部２９は、ミキサ上（例えば各チャンネル）に設けられたＬＣＤ等のモニタであり、各チャンネルに接続されている音響機器の識別情報を表示する。例えばチャンネル１に機器ＩＤがＭ０００１１の音響機器が接続された場合、チャンネル１のＬＣＤにヤマハ指向性マイクが接続されている旨を表示する。
【００３２】
以上のようにして、本実施形態の音響システムは、事前に各音響機器のＩＣタグをミキサのＩＣタグリーダで読取りしておき、使用時には音響機器を接続するだけで、各チャンネルに接続されている機器名称等を確認することができるため、容易に結線状態の確認を行うことができる。よって、識別用のラベルを貼り付けたり、結線状態を目視で確認して入力しておく必要もなく、仮に接続を間違えた場合であっても、どの機器同士を間違えたのか、即座に判断することができる。
【００３３】
また、本実施形態の音響システムは、結線状態の確認のみならず、それぞれのチャンネルに接続された音響機器に適した処理も容易に行うこともできる。すなわち、制御部２８は、機器属性情報に処理情報が含まれていた場合、その音響機器が接続されているチャンネルのオーディオ信号の調整内容をオーディオ信号処理部３０に指示する。例えば、制御部２８は、処理情報に「中音強調」と記載されていた場合、イコライザの高低音のレベルを下げ、中音レベルを上げるようにオーディオ信号３０に指示する。また、制御部２８は、処理情報に「コンプレッサー、オン」等のように、所定のエフェクタをオンする旨が記載されていた場合、エフェクタを付与するようにオーディオ信号処理部３０に指示する。。
【００３４】
また、制御部２８は、機器属性情報に機器制御情報が含まれていた場合、外部機器制御信号を生成し、出力することも可能である。例えば、機器制御情報に「照明オン」と記載されていた場合、照明をオンする制御信号を生成して外部に出力する。
【００３５】
また、本実施形態の音響システムは、ユーザＩ／Ｆ２２による機器固有情報の手入力を行うことで、識別情報等を使用状況に応じて適宜変更することもできる。例えば、図２（Ｂ）に示すように、各識別情報をメーカ名や機器名称ではなく、「コーラス用マイク」、「ボーカル用マイク」、「バスドラム用マイク」、「ギターダイレクト入力」、「キーボードダイレクト入力」等のように、実際の現場で用いる名称に変更することができる。よって、さらに容易に結線状態を確認することができる。また、処理情報を変更することもでき（例えば、コーラス用マイクを中音強調、バスドラム用マイクを低音強調、等とし）、機器制御情報を変更することもできる（例えばバスドラム用マイクには制御無し、ギターダイレクト入力にはステージダウンとする）。
【００３６】
次に、図３は、他の例に係る音響システムの構成を示すブロック図である。なお、図１と共通する構成については同一の符号を付し、その説明を省略する。この場合の音響機器５は、例えば、オーディオケーブルの途中に接続されるアダプタ、マイクを直接接続する端子を備えたマイクホルダ等であり、通常の楽器やマイクが接続される。同図の例では、マイク７がオーディオケーブルを介して接続される例を示している。
【００３７】
音響機器５は、オーディオ信号を入力する入力Ｉ／Ｆ１７を備えており、マイク７からオーディオ信号を入力する。そして、重畳部１４は、入力Ｉ／Ｆ１７から入力したオーディオ信号に機器ＩＤ１２１を重畳し、出力Ｉ／Ｆ１５を介してミキサ２へ出力する。
【００３８】
このように、既存のオーディオ信号を発生する装置（マイクやエレキ楽器、電子楽器等）に後付けで本発明の音響機器および音響システムを実現することもできる。
【図面の簡単な説明】
【００３９】
【図１】本発明の実施形態に係る音響システムの構成を示すブロック図である。
【図２】機器ＩＤと属性情報との関係を規定したテーブルを示す図である。
【図３】他の例に係る音響システム構成を示すブロック図である。
【符号の説明】
【００４０】
１−音響機器
２−ミキサ
【図１】
2010032755.tif 000003
【図２】
2010032755.tif 000004
【図３】
2010032755.tif 000005
【手続補正書】
【提出日】平成20年7月30日(2008.7.30)
【手続補正１】
【補正対象書類名】図面
【補正対象項目名】図３
【補正方法】変更
【補正の内容】
【図３】
2010032755.tif 000006